(57)【要約】【課題】スリーブカバーを電線に容易に固定できるようにする。【解決手段】スリーブカバー４の固定具１は、電線２が挿通されるとともにスリーブカバー４の端部が挿入される固定具本体１１と、この固定具本体１１を電線２及びスリーブカバー４に固定するための固定手段３２とを備え、固定手段３２は、固定具本体１１の各端部１１ａ，１１ｂから張り出さないように畳まれて固定具本体１１の外面側で待機する待機状態と、固定具本体１１に電線２を挿通するとともにスリーブカバー４の端部を挿入して固定するときに、この固定具本体１１の一端部１１ａから電線２の外面に向かって張り出して固定するとともに、固定具本体１１の他端部１１ｂから出ているスリーブカバー４の外面に向かって張り出して固定する固定状態とに状態を変更可能に構成される。【選択図】図１
2010114024.tif 000002
【特許請求の範囲】
【請求項１】
電線を連結するためのスリーブを内側に挿通して覆う筒状のスリーブカバーを電線に固定するためのスリーブカバーの固定具であって、
電線が挿通されるとともにスリーブカバーの端部が挿入される固定具本体と、この固定具本体を電線及びスリーブカバーに固定するための固定手段とを備え、
固定手段は、固定具本体の各端部から張り出さないように畳まれて固定具本体の外面側で待機する待機状態と、固定具本体に電線を挿通するとともにスリーブカバーの端部を挿入して固定するときに、この固定具本体の一端部から電線の外面に向かって張り出して固定するとともに、固定具本体の他端部から出ているスリーブカバーの外面に向かって張り出して固定する固定状態とに状態を変更可能に構成されてなることを特徴とするスリーブカバーの固定具。
【請求項２】
前記固定手段は、待機状態にあるときに、固定具本体の各端部から張り出さないようにその一部が畳まれた絶縁性の膜部材を有する請求項１に記載のスリーブカバーの固定具。
【請求項３】
前記膜部材は、固定状態にあるときに、電線の外面及びスリーブカバーの外面に接触した状態で弾性変形することにより、固定具本体を電線及びスリーブカバーに固定するように構成されてなる請求項２に記載のスリーブカバーの固定具。
【請求項４】
前記固定手段は、待機状態から固定状態へと状態を変更できるように膜部材を操作するための操作部材を有する請求項２又は３に記載のスリーブカバーの固定具。
【請求項５】
電線を連結するスリーブを内側に挿通して覆う筒状のスリーブカバー本体と、このスリーブカバーを電線に固定するための固定手段とを備え、
前記固定手段は、スリーブカバー本体の各端部から張り出さないように畳まれてスリーブカバー本体の外面側で待機する待機状態と、スリーブカバー本体を電線に固定するときに、このスリーブカバー本体の端部から電線の外面に向かって張り出してスリーブカバー本体を電線に固定する固定状態とに状態を変更可能に構成されてなることを特徴とするスリーブカバー。
【発明の詳細な説明】
【技術分野】
【０００１】
本発明は、例えば、電線を連結するスリーブを覆うスリーブカバーを固定するための固定具及びスリーブカバーに関する。
【背景技術】
【０００２】
例えば、２本の電線を連結するような場合には、連結される各電線の端部の絶縁被覆を剥ぎ取って、芯線部分を露出させるとともに、この芯線部分同士を金属製の圧縮スリーブ（以下、単に「スリーブ」という）を介して連結するといった作業が行われる。
【０００３】
この場合、スリーブや露出している芯線部分の絶縁を図るべく、この芯線を絶縁カバーによって覆うといった処置がなされる（例えば特許文献１参照）。
【０００４】
この絶縁カバーには、例えば、弾性変形可能な筒状キャップと、この筒状キャップに一体に設けられたゴム管とを有するものがある。このような絶縁カバーは、筒状キャップがスリーブの所定位置に位置決めされ、ゴム管によって圧縮スリーブを覆うことによって、電線の連結部分（圧縮スリーブ）を絶縁するようになっている。
【特許文献１】特開２００８−１５９５２９号公報
【発明の開示】
【発明が解決しようとする課題】
【０００５】
上記のような従来の絶縁カバーでは、スリーブの外面が所定の圧縮によって凹凸状に変形していることから、この凹凸によってゴム管が傷ついてしまうおそれがある。これを回避するには、例えば、スリーブよりも大径の筒状のスリーブカバーによってスリーブを覆うとともに、このスリーブカバーを電線に固定することが望ましい。
【０００６】
この場合、例えば絶縁テープによってスリーブカバーの端部と電線とを固定することが考えられるが、これでは、スリーブカバーの固定に手間がかかってしまい、作業効率が低下してしまう。
【０００７】
本発明はこのような事情に鑑みてなされたものであり、スリーブカバーを電線に容易に固定できるスリーブカバーの固定具を提供することを課題とする。
【０００８】
また、本発明は、電線に容易に固定することができるスリーブカバーを提供することを課題とする。
【課題を解決するための手段】
【０００９】
本発明は、上記の課題を解決するために以下の技術的手段を講じた。
【００１０】
すなわち、本発明は、電線を連結するためのスリーブを内側に挿通して覆う筒状のスリーブカバーを電線に固定するためのスリーブカバーの固定具であって、電線が挿通されるとともにスリーブカバーの端部が挿入される固定具本体と、この固定具本体を電線及びスリーブカバーに固定するための固定手段とを備え、固定手段は、固定具本体の各端部から張り出さないように畳まれて固定具本体の外面側で待機する待機状態と、固定具本体に電線を挿通するとともにスリーブカバーの端部を挿入して固定するときに、この固定具本体の一端部から電線の外面に向かって張り出して固定するとともに、固定具本体の他端部から出ているスリーブカバーの外面に向かって張り出して固定する固定状態とに状態を変更可能に構成されてなることを特徴とする。
【００１１】
かかる構成によれば、固定手段は、待機状態にあるときは、固定具本体の外面に設けられていることから、この固定手段が邪魔にならずに、固定具本体に、電線を挿通し、そしてスリーブカバーの端部を挿入することができるようになる。また、スリーブカバーの端部を固定具本体に挿入したときに、この固定具本体の各端部から固定手段が張り出して、固定具本体を電線とスリーブカバーとに固定することにより、スリーブカバーを電線に対して確実に固定することができる。
【００１２】
このように、本願発明に係るスリーブカバーの固定具は、固定手段が邪魔にならずに、しかも、固定具本体にスリーブカバーの端部を挿入した状態で、固定手段を固定具本体の各端部から張り出させるだけで、スリーブカバーを電線に容易に固定でき、この点で有用なものとなる。
【００１３】
また、本発明に係るスリーブカバーの固定具は、前記固定手段が、待機状態にあるときに、固定具本体の各端部から張り出さないようにその一部が畳まれた絶縁性の膜部材を有することが望ましい。
【００１４】
かかる構成によれば、固定手段を膜部材とするとともに、この膜部材の一部を畳んで待機状態とすることにより、固定具をコンパクトな構成にすることができる。
【００１５】
また、本発明に係るスリーブカバーの固定具は、前記膜部材が、固定状態にあるときに、電線の外面及びスリーブカバーの外面に接触した状態で弾性変形することにより、固定具本体を電線及びスリーブカバーに固定するように構成されることが望ましい。
【００１６】
かかる構成によれば、膜部材の弾性変形を利用して固定具本体を電線及びスリーブカバーに固定することにより、部品点数を可及的に少なくすることができるとともに、スリーブカバーを電線に容易に固定できるようになる。
【００１７】
また、本発明に係るスリーブカバーの固定具は、前記固定手段が、待機状態から固定状態へと状態を変更できるように膜部材を操作するための操作部材を有する構成を採用できる。
【００１８】
かかる構成によれば、操作部材を操作することによって、膜部材の状態を待機状態から固定状態へと容易に変更できるようになり、これによって、スリーブカバーを電線に容易に固定できるようになる。
【００１９】
また、本発明に係るスリーブカバーは、電線を連結するスリーブを内側に挿通して覆う筒状のスリーブカバー本体と、このスリーブカバーを電線に固定するための固定手段とを備え、前記固定手段は、スリーブカバー本体の各端部から張り出さないように畳まれてスリーブカバー本体の外面側で待機する待機状態と、スリーブカバー本体を電線に固定するときに、このスリーブカバー本体の端部から電線の外面に向かって張り出してスリーブカバー本体を電線に固定する固定状態とに状態を変更可能に構成されてなることを特徴とする。
【００２０】
かかる構成によれば、固定手段が待機状態にあるときは、この固定手段が邪魔にならずに、スリーブカバー本体を電線に沿って移動させてスリーブを覆うことができるようになる。また、この待機状態から固定状態に状態を変更させると、スリーブカバー本体の各端部から固定手段が張り出して、スリーブカバー本体を電線に固定することにより、スリーブカバーを電線に対して確実に固定することができる。
【００２１】
このように、本願発明に係るスリーブカバーは、固定手段が邪魔にならずに、しかも、待機状態にある固定手段をスリーブカバー本体の各端部から張り出させるだけで、容易に電線に固定でき、この点で有用なものとなる。
【発明の効果】
【００２２】
本発明によれば、スリーブカバーを電線に容易に固定することができる。
【発明を実施するための最良の形態】
【００２３】
以下、本発明を実施するための最良の形態を、図面に基づき説明する。図１〜図３は、本発明に係るスリーブカバーの固定具（以下、単に「固定具」という）１の一実施形態を示す。この固定具１は、例えば、２本の電線２を連結するときに用いられるスリーブ（圧縮スリーブ）３を覆うためのスリーブカバー４を電線２に固定するためのものである。
【００２４】
スリーブカバー４は、図１に示すように、その中途部の内径が長手方向において一定な円筒状に構成され、その端部（両端部）が、先細り状のテーパ形状となっている。このスリーブカバー４の先細り状の端部には、その先端から中途部に向けて直線状の複数（例えば２つ）の切欠５が設けられている。これにより、スリーブカバー４の端部は、係合する電線２の外径の大小に対応して変形できるようになっている。
【００２５】
図１〜図３に示すように、固定具１は、電線２が内部に挿通されるとともに、スリーブカバー４の端部が挿入される固定具本体１１と、この固定具本体１１をスリーブカバー４及び電線２に固定するための固定手段１２とを備える。
【００２６】
図１、図２に示すように、固定具本体１１は、筒状（例えば円筒状）に構成されており、その内部に電線を挿通し、スリーブカバー４の端部を挿入（嵌入）できるようになっている。この固定具本体１１は、その一端部１１ａの内径と、他端部１１ｂの内径とが異なっている。すなわち、一端部（以下「第１端部」という）１１ａの内径が他端部（以下「第２端部」という）１１ｂの内径よりも小さくなっている。
【００２７】
第１端部１１ａの内径は、固定具本体１１に挿通される電線２の外径と同じかこれよりも若干大きく設定されている。また、第２端部１１ｂの内径は、スリーブカバー４の中途部の外径よりも若干大きく設定されている。また、この固定具本体１１は、その中途部１１ｃが、第２端部１１ｂから第１端部１１ａに向かうにつれてその内径が徐々に小さくなるようなテーパ状に構成されている。
【００２８】
図２に示すように、固定具本体１１には、第１端部１１ａから中途部１１ｃにかけて、直線状の切欠１１ｄが形成されている。固定具本体１１には、複数（例えば２つ）の切欠１１ｄが形成されている。これにより、固定具本体１１は、係合する電線２又はスリーブカバー４の端部の外径の大小に対応して変形できるようになっている。
【００２９】
固定手段１２は、図１、図３に示すように、絶縁性を有する合成樹脂（例えばゴム）等によって弾性変形可能（又は伸縮可能）に形成された薄膜状で筒状の膜部材１５と、この膜部材１５を操作するための操作部材１６，１７とを有する。
【００３０】
膜部材１５は、図３に示すように、一端部１５ａの内径が他端部１５ｂの内径よりも小さなテーパ状に構成されている。膜部材１５は、その筒心方向の長さが固定具本体１１の筒心方向の長さよりも長くなっている。
【００３１】
また、膜部材１５は、内径の小さな一端部１５ａが、固定具本体１１の第１端部１１ａ側に位置し、内径の大きな端部１５ｂが固定具本体１１の第２端部１１ｂ側に位置するように、固定具本体１１に被せられている。具体的には、筒状の膜部材１５の内側に固定具本体１１が挿通されており、膜部材１５は、固定具本体１１が内側に入れられることで、この固定具本体１１によって押し広げられて弾性変形しているとともに、収縮しようとする弾性復元力によって固定具本体１１に密着することで、この固定具本体１１に固定されている。
【００３２】
図１に示すように、膜部材１５の内径の小さな一端部１５ａが、膜部材１５の中途部に向かって外側に巻かれることによって畳まれている。また、膜部材１５の内径の大きな他端部１５ｂが、膜部材１５の中途部に向かって外側に巻かれることによって畳まれている。このように、膜部材１５の各端部１５ａ，１５ｂが巻かれた状態において、膜部材１５の筒心方向の長さは、固定具本体１１の筒心方向の長さよりも短くなっている（図１参照）。したがって、膜部材１５は、各端部１５ａ，１５ｂが巻かれて畳まれた状態では、図１において実線で示すように、固定具本体１１の第１端部１１ａ及び第２端部１１ｂから、その筒心方向に張り出さないように、この固定具本体１１の外面側に設けられることとなる。
【００３３】
膜部材１５の長手方向における各端部１５ａ，１５ｂには、その中途部よりも厚さの厚い厚肉部１５ｃ，１５ｄが形成されている。この厚肉部１５ｃ，１５ｄは、断面円形とされ、膜部材１５の円筒形状に応じて円環状に構成されている。
【００３４】
この膜部材１５の一端部１５ａにおける内径は、固定具本体１１の第１端部１１ａに挿通される電線２の外径よりも小さく設定されている。また、この膜部材１５の他端部１５ｂにおける内径は、固定具本体１１の第２端部１１ｂに挿入されるスリーブカバー４の中途部の外径よりも小さく設定されている。
【００３５】
上記のように、膜部材１５は、その一部（一端部１５ａ側の部分及び他端部１５ｂ側の部分）が畳まれることにより、固定具本体１１の第１端部１１ａに挿通される電線２に接触せず、また、固定具本体１１の第２端部１１ｂに挿入されるスリーブカバー４の端部にも接触しないようになっている。すなわち、固定手段は、膜部材１５が、固定具本体１１に電線２を挿通するときや、スリーブカバー４の端部を挿入するときに邪魔にならないように待機する状態となるように構成される。以下、このように膜部材１５の一部が畳まれている状態を「待機状態」という。
【００３６】
操作部材１６，１７は、図３に示すように、膜部材１５の各端部１５ａ，１５ｂに１つずつ設けられている。以下、膜部材１５の内径の小さな一端部１５ａに設けられている操作部材１６を「第１操作部材」１６といい、膜部材１５の内径の大きな他端部１５ｂに設けられている操作部材１７を「第２操作部材」１７という。各操作部材１６，１７は、図３に示すように、長尺状の薄膜状に形成されており、膜部材１５とともに変形可能な構成になっている。
【００３７】
第１操作部材１６は、その一端部１６ａが、膜部材１５の一端部１５ａに一致した状態で、当該一端部１５ａとともに一体に巻かれている。また、この第１操作部材１６の他端部１６ｂは、膜部材１５の一端部１５ａが巻かれて形成された巻回部から、膜部材１５の半径方向外方に向かって突出している（以下、この端部を「突出端部」という）。
【００３８】
同様に、第２操作部材１７は、その一端部１７ａが、膜部材１５の他端部１５ｂに一致した状態で、当該他端部１５ｂとともに一体に巻かれている。また、第２操作部材１７の他端部１７ｂは、膜部材１５の他端部１５ｂが巻かれることにより形成される巻回部から、膜部材１５の半径方向外方に向かって突出する突出端部１７ｂとなっている。
【００３９】
各操作部材１６，１７は、この突出端部１６ｂ，１７ｂを掴んで膜部材１５が巻き込まれている方向とは逆の方向、すなわち、この畳まれた状態を解除して、畳まれる前の元の状態に戻す（伸ばす）方向に引くことにより、膜部材１５は、待機状態が解除されて、畳まれていた部分が固定具本体１１の各端部１１ａ，１１ｂからその筒心方向に張り出すようになっている（図１において二点鎖線で示す状態）。
【００４０】
膜部材１５は、固定具本体１１の第１端部１１ａ側で畳まれていた部分が、第１操作部材１６の操作によって第１端部１１ａから電線２の外面に向かって張り出したとき、この張り出した部分が、電線２の外面によって押し広げられ、これによる弾性復元力によって電線２の外面に密着するようになっている。
【００４１】
この弾性復元力による密着によって、膜部材１５は、固定具本体１１を電線２に固定する。すなわち、固定具本体１１の第１端部１１ａから張り出した膜部材１５の一端部１５ａ側の部分は、固定具本体１１を電線２に固定する固定部（以下「第１固定部」という）２１となる。
【００４２】
また、膜部材１５は、固定具本体１１の第２端部１１ｂ側で畳まれていた部分が、第２操作部材１７の操作によって第２端部１１ｂから、スリーブカバー４の外面に向かって張り出したとき、この張り出した部分が、このスリーブカバー４の中途部外面によって押し広げられ、これによる弾性復元力によってスリーブカバー４の外面に密着するようになっている。
【００４３】
この弾性復元力による密着によって、膜部材１５は、固定具本体１１をスリーブカバー４に固定する。すなわち、固定具本体１１の第２端部１１ｂから張り出した膜部材１５の他端部１５ｂ側の部分は、固定具本体１１をスリーブカバー４に固定する固定部（以下「第２固定部」という）２２となる。
【００４４】
このように、膜部材１５は、待機状態が解除されると、第１固定部２１が固定具本体１１を電線２に固定し、そして、第２固定部２２が固定具本体１１をスリーブカバー４に固定するように作用する。以下、待機状態が解除されて、膜部材１５が固定具本体１１を電線２及びスリーブカバー４に固定する状態を、「固定状態」という。
【００４５】
以上のように、固定具１は、膜部材１５の待機状態が解除されて固定状態となったとき、スリーブカバー４を電線２に固定することができる。
【００４６】
以下、固定具１の使用方法について説明する。
【００４７】
例えば、２本の電線２を連結する場合において、各電線２の端部の被覆を剥離させ、これによって露出した芯線の部分同士をスリーブ３によって連結する。このとき、スリーブカバー４の一端部を固定するための固定具１の固定具本体１１に一方の電線２を挿通し、さらに、スリーブカバー４をこの電線２に挿通しておくとともに、スリーブカバー４の他端部を固定するための固定具１の固定具本体１１に他方の電線２を挿通しておく。
【００４８】
２本の電線２をスリーブ３によって連結した後に、前記一方の電線２を挿通させたスリーブカバー４を電線２の長手方向に移動させて、スリーブ３を覆うようにする。スリーブカバー４がスリーブ３の全体を覆った状態で、一方の固定具１をスリーブカバー４に向かって移動させ、その固定具本体１１内に、スリーブカバー４の一端部を挿入する。そして、他方の固定具１をスリーブカバー４の他端部に向かって移動させ、その固定具本体１１内に、スリーブカバー４の他端部を挿入する。
【００４９】
各固定具本体１１内にスリーブカバー４の各端部を入れた後、それぞれの固定具１の第１操作部材１６を操作して、膜部材１５の畳まれている部分を電線２側に向かって張り出させる（図１の二点差線の状態）。そして、第２操作部材１７を操作して、膜部材１５の畳まれている部分をスリーブカバー４に向かって張り出させる。
【００５０】
このような各操作部材１６，１７による操作は、直接活線作業の場合には、作業者が直接的に各操作部材１６，１７の突出端部１６ｂ，１７ｂを掴むことにより行われる。また、間接活線作業の場合には、ヤットコ等の操作棒によって各操作部材１６，１７の突出端部１６ｂ，１７ｂを掴んで操作する。
【００５１】
膜部材１５は、畳まれていた一端部１５ａ側の部分（巻回部）が第１操作部材１６の操作によって固定具本体１１の第１端部１１ａから電線２側に張り出したとき、第１固定部２１がこの電線２の外面によって押し広げられ、これによる弾性復元力によって、電線２の外面に密着する。第１固定部２１は、電線２の外面に接触した状態で弾性変形することにより、固定具本体１１を電線２に固定する。
【００５２】
また、膜部材１５は、畳まれていた他端部１５ｂ側の部分が第２操作部材１７の操作によって、固定具本体１１の第２端部１１ｂからスリーブカバー４へと張り出したとき、第２固定部２２がスリーブカバー４の外面によって押し広げられ、これによる弾性復元力によって、スリーブカバー４の外面に密着する。第２固定部２２は、スリーブカバー４の外面に接触した状態で弾性変形することにより、固定具本体１１をスリーブカバー４に固定する。
【００５３】
以上のように、固定具本体１１の第１端部１１ａ側で、膜部材１５の第１固定部２１が電線２の外面に密着して固定具本体１１を固定し、第２端部１１ｂ側で、膜部材１５の第２固定部２２がスリーブカバー４の外面に密着することによって固定具本体１１を固定することで、スリーブカバー４は、スリーブ３全体を覆った位置で、その長手方向、周方向に移動しないように電線２に確実に固定されることとなる。
【００５４】
以上説明した固定具１によれば、固定手段１２が待機状態にあるときは、固定手段１２が固定具本体１１の各端部から張り出すことがないように、固定具本体１１の外面に設けられていることから、この固定手段１２が邪魔にならずに、固定具本体１１に、電線２を挿通し、そしてスリーブカバー４の端部を挿入することができるようになる。また、固定具１を固定状態にしたときに、固定具本体１１が電線２及びスリーブカバー４に固定されることにより、スリーブカバー４を電線２に対して容易に固定することができる。
【００５５】
また、固定手段１２において膜部材１５を採用するとともに、この膜部材１５の一部を畳んで待機状態とすることにより、複雑な構造を要さずに、固定具１をコンパクトな構成にすることができる。
【００５６】
また、膜部材１５の弾性変形を利用して固定具本体１１を電線２及びスリーブカバー４に固定することにより、膜部材１５を固定するための別の部品を要さずに、部品点数を可及的に少なくすることができるとともに、スリーブカバー４を電線２に容易に固定できるようになる。
【００５７】
また、各操作部材１６，１７を操作することによって、膜部材１５の状態を待機状態から固定状態へと容易に変更できるようになり、これによって、スリーブカバー４を電線２に容易に固定できるようになる。
【００５８】
図４は、本発明に係るスリーブカバーの一実施形態を示している。
【００５９】
本実施形態において、スリーブカバー４は、筒状のスリーブカバー本体３１と、このスリーブカバー４を電線２に固定するための固定手段３２とを備えている。この実施形態において、スリーブカバー本体３１は、その一端部から他端部まで内径及び外径が一定な円筒状に構成されている。
【００６０】
固定手段３２は、スリーブカバー本体３１の各端部の外面側に設けられた膜部部材３３と、この膜部材３３を操作するための操作部材３４を有する。
【００６１】
膜部材３３は、絶縁性を有する合成樹脂（例えば合成ゴム）等により、弾性変形可能（伸縮可能）な円筒状に形成されている。膜部材３３の内径は、スリーブカバー本体３１に挿通される電線２の外径よりも小さくされていることが望ましい。
【００６２】
膜部材３３の内側には、スリーブカバー本体３１が挿通されており、膜部材３３は、スリーブカバー本体３１の外面によって押し広げられ、これによる弾性復元力によって、スリーブカバー本体３１の外面に密着している。これにより、膜部材３３は、スリーブカバー本体３１の外面に固定されている。
【００６３】
固定手段３２の膜部材３３は、スリーブカバー４の各端部に設けられている。各膜部材３３は、図４において実線で示すように、その一端部３３ａ側の部分が巻き取られて畳まれており、この巻かれた部分（巻回部）がスリーブカバー本体３１の端部から張り出さないような待機状態となっている。
【００６４】
また、膜部材３３は、図４において二点鎖線で示すように、待機状態から、スリーブカバー本体３１を固定するときに、このスリーブカバー本体３１の端部から電線２の外面に張り出してスリーブカバー本体３１を電線２に固定する固定状態へと状態を変更できるようになっている。膜部材３３の他端部３３ｂは、巻き取られずに、スリーブカバー本体３１の外面に密着した状態となっている。
【００６５】
操作部材３４は、その一端部３４ａが膜部材３３の一端部３３ａに一致した状態で、この一端部３３ａとともに一体に巻かれている。また、操作部材３４の他端部３４ｂは、巻かれて畳まれた膜部材３３の一端部３３ａ側の部分（巻回部）から突出する突出端部３４ｂとなっている。
【００６６】
以下、上記構成のスリーブカバー４の使用方法について説明する。
【００６７】
まず、図１〜図３の実施形態と同様に、２本の電線２の端部の芯線部分をスリーブ３で連結した後、予め２本の電線２の一方に挿通しておいたスリーブカバー本体３１を移動させてスリーブ３を覆うようにする。スリーブカバー本体３１が、スリーブ３全体を覆った位置で、固定手段３２の待機状態を解除して、固定状態にすることにより、スリーブカバー本体３１を電線２に固定する。
【００６８】
具体的には、スリーブカバー本体３１の端部に設けられている固定手段３２の操作部材３４の突出端部３４ｂを掴み、スリーブカバー本体３１の端部から電線２側に向かって引っ張ることにより、膜部材３３の端部をスリーブカバー本体３１の端部から電線２側に向かって張り出させる。
【００６９】
操作部材３４によって操作されて電線２側に張り出した膜部材３３の部分（以下「固定部」という）は、膜部材３３の内径よりも大きな電線２の外面によって外側に押し広げられ、これによる弾性復元力によって、電線２の外面に密着する。この弾性復元力による密着により、固定部は、スリーブカバー本体３１がその長手方向または、周方向に対して移動しないように電線２に固定する。
【００７０】
以上説明したスリーブカバー４によれば、固定手段３２が待機状態にあるときは、固定手段３２がスリーブカバー本体３１の各端部から張り出すことがないように、スリーブカバー本体３１の外面に設けられていることから、この固定手段３２が邪魔にならずに、スリーブカバー本体３１を、スリーブ３の位置まで移動させることができる。また、固定手段３２を固定状態にしたときに、スリーブカバー本体３１が電線２に固定されることにより、スリーブカバー４を電線２に対して容易に固定することができる。
【００７１】
また、固定手段３２において膜部材３３を採用するとともに、この膜部材３３の一部を畳んで待機状態とすることにより、複雑な構造を要さずに、スリーブカバー４をコンパクトな構成にすることができる。
【００７２】
また、膜部材３３の弾性変形を利用してスリーブカバー本体３１を電線２に固定することにより、膜部材３３を固定するための別の部品を要さずに、部品点数を可及的に少なくすることができるとともに、スリーブカバー４を電線２に容易に固定できるようになる。
【００７３】
また、各操作部材３４を操作することによって、膜部材１５の状態を待機状態から固定状態へと容易に変更できるようになり、これによって、スリーブカバー４を電線２に容易に固定できるようになる。
【００７４】
なお、本発明は上記の実施形態に限らず、種々の変形・変更が可能である。
【００７５】
例えば、上記スリーブカバー４の実施形態の変形例として、スリーブカバー本体３１を容易に移動させることができるように、スリーブカバー本体３１の中途部の外面から外方に突出する突起部等からなる把持部、この把持部を操作することで、スリーブカバー本体３１を移動させてもよい。
【００７６】
また、上記固定具１の変形例として、例えば、固定具本体１１の端部に伸張可能なスパイラル状の部分（以下「伸張部」）を設け、この伸張部の端部に膜部材１５の一端部を固定し、伸張部とともに、膜部材１５の畳まれた部分をスリーブカバー４側、又は電線２側に向かって張り出させることにより、スリーブカバー４を固定するようにしてもよい。この場合には、膜部材１５の端部側の部分を巻くのではなく、折り畳んだ状態にすることが望ましい。
【００７７】
上記スリーブカバー４の変形例として、スリーブカバー本体３１の端部に前記伸張部を形成するとともに、スリーブカバー本体３１に設けられている膜部材３３の一部を伸張部の一端部に固定して、膜部材３３の畳まれている部分を伸張部とともに移動させて電線２側に向かって張り出させるようにしてもよい。
【００７８】
また、上記の実施形態では、固定手段１２，３２としての膜部材１５，３３の端部が巻き取られることによって畳まれた待機状態を例示したが、膜部材を蛇腹状に構成して、これを収縮させることによって畳まれた待機状態とするとともに、この膜部材の端部を引っ張って、スリーブ３本体側又は電線２側に向かって、固定具本体から張り出させる構成を採用してもよい。
【００７９】
上記実施形態では、スリーブカバー４、及びスリーブカバー本体３１が円筒状の場合を例示したが、これに限らず、断面が楕円、多角形、異形形状その他の種々の形状のものに本発明を適用可能である。
【００８０】
上記実施形態では、固定手段１２，３２が膜部材１５，３３を操作する操作部材１６，１７，３４を有している例を示したが、例えば直接活線作業のような場合には、この操作部材を設けずに、膜部材の畳まれている部分を作業者が直接触って待機状態から固定状態へと状態を変更するようにしても良い。
【図面の簡単な説明】
【００８１】
【図１】本発明に係るスリーブカバーの固定具の実施形態を示す部分断面図である。
【図２】固定具本体の側面図である。
【図３】膜部材の側面図である。
【図４】本発明に係るスリーブカバーの実施形態を示す部分断面図である。
【符号の説明】
【００８２】
１…固定具、２…電線、３…スリーブ、４…スリーブカバー、５…切欠、１１…固定具本体、１１ａ…第１端部、１１ｂ…第２端部、１１ｃ…中途部、１１ｄ…切欠、１２…固定手段、１５…膜部材、１５ａ…膜部材の一端部、１５ｂ…膜部材の他端部、１５ｃ…膜部材の中途部、１５ｃ…厚肉部、１５ｄ…厚肉部、１６…第１操作部材、１６ａ…第１操作部材の一端部、１６ｂ…第１操作部材の他端部（突出端部）、１７…第２操作部材、１７ａ…第２操作部材の一端部、１７ｂ…第２操作部材の他端部（突出端部）、２１…第１固定部、２２…第２固定部、３１…スリーブカバー本体、３２…固定手段、３３…膜部材、３３ａ…膜部材の一端部、３３ｂ…膜部材の他端部、３４…操作部材、３４ａ…操作部材の一端部、３４ｂ…操作部材の他端部（突出端部）
【図１】
2010114024.tif 000003
【図２】
2010114024.tif 000004
【図３】
2010114024.tif 000005
【図４】
2010114024.tif 000006